(57)【要約】【目的】  メインディスプレイとサブディスプレイとの間で映像表示を切り替えることにおいてユーザの使い勝手をよくすることができる携帯端末を提供する。【構成】  携帯端末２は本体２ａに対して蓋部２ｂが回動可能に設けられた折り畳み式の形態を備え、前記蓋部２ｂの内面側にはメインＬＣＤパネル２０２ａを備え外面側にはサブＬＣＤパネル２０２ｂを備える。ＣＰＵは開閉検出スイッチからの信号によって蓋部２ｂの開閉を検出する。ＣＰＵはメインＬＣＤパネル２０２ａによる画像の表示状態で前記蓋部２ｂが閉じられたことを検出した場合、その表示方向と同一の表示方向で前記画像の表示を前記サブＬＣＤパネル２０２ｂにて継続する。また、サブＬＣＤパネル２０２ｂによる画像の表示状態で前記蓋部２ｂが開けられたことを検出した場合、その表示方向と同一の表示方向で前記画像の表示を前記メインＬＣＤパネル２０２ａにて継続する。【選択図】      図１
2005318058.tif 000002
【特許請求の範囲】
【請求項１】
本体に対して蓋部が回動可能に設けられた折り畳み式の形態を備え、前記蓋部の内面側にはメインディスプレイを備え外面側にはサブディスプレイを備えた携帯端末において、前記両ディスプレイは表示方向を縦画面及び横画面とする画像表示が可能に構成され、前記メインディスプレイによる画像の表示状態で前記蓋部が閉じられたときに、その表示方向と同一の表示方向で前記画像の表示を前記サブディスプレイにて継続するように構成されたことを特徴とする携帯端末。
【請求項２】
本体に対して蓋部が回動可能に設けられた折り畳み式の形態を備え、前記蓋部の内面側にはメインディスプレイを備え外面側にはサブディスプレイを備えた携帯端末において、前記両ディスプレイは表示方向を縦画面及び横画面とする画像表示が可能に構成され、前記サブディスプレイによる画像の表示状態で前記蓋部が開けられたときに、その表示方向と同一の表示方向で前記画像の表示を前記メインディスプレイにて継続するように構成されたことを特徴とする携帯端末。
【請求項３】
請求項１又は請求項２に記載の携帯端末において、前記蓋部には二以上のスピーカが設けられてステレオ音声出力が可能に構成されると共に、横画面での両ディスプレイの表示の切り替えで前記スピーカの左右音声を切り替えるように構成されたことを特徴とする携帯端末。
【請求項４】
請求項１又は請求項２に記載の携帯端末において、前記蓋部には二以上のスピーカが設けられてステレオ音声出力が可能に構成されると共に、前記蓋部が閉じられたときには、モノラル音声出力に切り替えるように構成されたことを特徴とする携帯端末。
【請求項５】
請求項１乃至請求項４のいずれかに記載の携帯端末において、テレビ放送を受信するチューナを備え、受信番組の映像を両ディスプレイを用いて継続表示するように構成されたことを特徴とする携帯端末。
【請求項６】
請求項１乃至請求項５のいずれかに記載の携帯端末において、ユーザの設定で前記継続表示のモードを実行するかどうかを選択できるように構成されたことを特徴とする携帯端末。
【発明の詳細な説明】
【技術分野】
【０００１】
この発明は、携帯電話などの携帯端末に関する。
【背景技術】
【０００２】
本体に対して蓋部が回動可能に設けられた折り畳み式の形態を備え、前記蓋部の内面側にはメインディスプレイを備え外面側にはサブディスプレイを備えた携帯電話が知られている。また、チューナを備えてテレビ視聴が行える携帯電話も知られている。このような携帯電話でテレビ番組を視聴する場合、前記蓋部を開いた状態でＴＶ視聴の開始操作やチャンネル選択等の操作を行い、メインディスプレイに受信番組を表示させることになる（特許文献１、特許文献２、特許文献３、特許文献４参照）。
【特許文献１】特開２００１−３３９４９５号公報
【特許文献２】特開２００２−２３２５４９号公報
【特許文献３】特開２００２−３２５１２５号公報
【特許文献４】特開２０００−３４１３７９号公報
【発明の開示】
【発明が解決しようとする課題】
【０００３】
ところで、テレビ放送の視聴状態でユーザが携帯電話の全体形状を小さくした状態（すなわち折り畳んだ状態）で視聴を継続したいと思った場合、折り畳んだ時の蓋部の表面（外面）に在るサブディスプレイに受信映像の表示を切り替えるとこが考えられる。しかしながら、従来の携帯電話においては、サブディスプレイの表示方向は固定であるため、単にサブディスプレイに受信映像を表示するのでは、使い勝手がよくない場合が予想される。
【０００４】
この発明は、上記事情に鑑み、メインディスプレイとサブディスプレイとの間で映像表示を切り替えることにおいてユーザの使い勝手をよくすることができる携帯端末を提供することを目的とする。
【課題を解決するための手段】
【０００５】
この発明の携帯端末は、上記の課題を解決するために、本体に対して蓋部が回動可能に設けられた折り畳み式の形態を備え、前記蓋部の内面側にはメインディスプレイを備え外面側にはサブディスプレイを備えた携帯端末において、前記両ディスプレイは表示方向を縦画面及び横画面とする画像表示が可能に構成され、前記メインディスプレイによる画像の表示状態で前記蓋部が閉じられたときに、その表示方向と同一の表示方向で前記画像の表示を前記サブディスプレイにて継続するように構成されたことを特徴とする。
【０００６】
また、この発明の携帯端末は、本体に対して蓋部が回動可能に設けられた折り畳み式の形態を備え、前記蓋部の内面側にはメインディスプレイを備え外面側にはサブディスプレイを備えた携帯端末において、前記両ディスプレイは表示方向を縦画面及び横画面とする画像表示が可能に構成され、前記サブディスプレイによる画像の表示状態で前記蓋部が開けられたときに、その表示方向と同一の表示方向で前記画像の表示を前記メインディスプレイにて継続するように構成されたことを特徴とする。
【０００７】
これらの構成であれば、メインディスプレイとサブディスプレイとの間で映像表示を切り替える場合でも、表示方向は同一となるため、ユーザは切り替えの度に携帯端末の向きを変えなければいけなくなるといった不満から解消されることになる。
【０００８】
前記蓋部には二以上のスピーカが設けられてステレオ音声出力が可能に構成されると共に、横画面での両ディスプレイの表示の切り替えで前記スピーカの左右音声を切り替えるように構成されていてもよい。また、前記蓋部には二以上のスピーカが設けられてステレオ音声出力が可能に構成されると共に、前記蓋部が閉じられたときには、モノラル音声出力に切り替えられるように構成されていてもよい。また、テレビ放送を受信するチューナを備え、受信番組の映像を両ディスプレイを用いて継続表示するように構成されていてもよい。また、ユーザの設定で前記継続表示のモードを実行するかどうかを選択できるように構成されていてもよい。
【発明の効果】
【０００９】
この発明によれば、例えばユーザが横画面での継続表示を選択すれば、横画面で画像表示（例えば、受信映像表示や再生映像表示）が行われ、この画像表示状態で蓋部が開閉されてメインディスプレイ又はサブディスプレイに切り替わるときにも、横画面表示が維持されるので、携帯端末を持ち替えずに画面を正しい方向で見続けることが可能になる。
【発明を実施するための最良の形態】
【００１０】
以下、この発明の実施形態を図１乃至図３に基づいて説明する。
【００１１】
図１及び図３はこの実施形態の携帯端末の外観を示した平面図であり、図２は携帯端末のブロック図である。
【００１２】
この実施形態の携帯端末２は、図１（ａ）（ｂ）に示しているように、折り畳み型の携帯電話として構成されている。すなわち、本体２ａに対して蓋部２ｂが回動可能に設けられた折り畳み式の形態を備え、前記蓋部２ｂの内面側にはメインＬＣＤパネル２０２ａを備え外面側にはサブＬＣＤパネル２０２ｂを備える。前記蓋部２ｂの開閉は図示しない開閉検出スイッチによって検出される。また、蓋部２ｂの角に二つのスピーカＳＰ１，ＳＰ２が対角に設けられている。
【００１３】
携帯端末２は、図２に示すように、地上波ディジタルチューナ２３０による放送受信により得られた符号化映像・音声データ、或いは、スロット２０１に差し込まれたメモリカード３等から読み出した符号化映像・音声データにより、映像をメインＬＣＤパネル２０２ａ又はサブＬＣＤパネル２０２ｂ上に映し出すとともに、音声をスピーカＳＰ１，ＳＰ２又は図示しないイヤホンから出力するようになっている。なお，この実施形態では符号化映像・音声データはＭＰＥＧ４データであるとする。
【００１４】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１５】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（メニュー画面等）をＬＣＤパネル２０２ａ，２０２ｂに表示するＯＳＤ（オンスクリーンディスプレイ）処理も行う。更に、グラフィックスコントローラ２０５は、縦画面表示と横画面表示のいずれの処理も可能に構成されている。縦画面表示と横画面表示は画像を９０°回転させることで実現される。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１６】
第１ＬＣＤコントローラ２０７ａは、グラフィックスコントローラ２０５から供給された映像データに基づいてメインＬＣＤパネル２０２ａを駆動する。第２ＬＣＤコントローラ２０７ｂは、グラフィックスコントローラ２０５から供給された映像データに基づいてサブＬＣＤパネル２０２ｂを駆動する。第１ＬＣＤコントローラ２０７ａ及びメインＬＣＤパネル２０２ａから成る組と、第２ＬＣＤコントローラ２０７ｂ及びサブＬＣＤパネル２０２ｂから成る組は、いずれか一方の組が動作するときには、他方の組は非動作状態となり、その制御はＣＰＵ２０９によって行われる。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成する。スイッチ２０３はＣＰＵ２０９からの制御信号によって右音をスピーカＳＰ１に左音をスピーカＳＰ２に供給する状態と、左音をスピーカＳＰ１に右音をスピーカＳＰ２に供給する状態とを切り替える。
【００１７】
本体キー２１４は視聴や電話等に関する操作ボタンやテンキー、カーソルキー等から成る。この本体キー２１４に対する操作情報は、インターフェイス２１５及びシステムバス２１３を介してＣＰＵ２０９に与えられる。ＣＰＵ２０９は上記操作情報に基づいて必要な処理を実行する。
【００１８】
また、近距離無線ネットワークを可能にするために、通信ブロック２１６及びインターフェイス２１７が設けられている。更に、ＦｌａｓｈＲＯＭ２１８やＳＤＲＡＭ２１９も備える。後述する画面方向設定等の各種設定情報は例えばＦｌａｓｈＲＯＭ２１８に格納されている。電池２２１は二次電池であり、図示しない充電器から電力の供給を得てこれを蓄える。
【００１９】
ＣＰＵ２０９は、無線ネットワークのための処理、ＦｌａｓｈＲＯＭ２１８やＳＤＲＡＭ２１９のリード／ライト制御なども行うようになっている。更に、画面方向設定情報に基づいて画面表示の縦横変更指示をグラフィックスコントローラ２０５に与える。
【００２０】
また、グラフィックスコントローラ２０５は、放送受信映像の画面サイズを縮小する処理（スケーリング処理）を行うことができ、この画面サイズ変更による画面余部にデータ放送部分やメッセージが表示されるように、サイズ変更画面（動画プレーン）の生成及び静止画プレーンの生成を行う。
【００２１】
本体キー２１４に設けた録画キーの押下信号、或いは、メニュー画面上からの録画指令を受けたＣＰＵ２０９は、受信中の番組のデータをメモリカード３に記録する処理を実行する。また、本体キー２１４に設けた再生キーの押下信号、或いは、メニュー画面上からの再生指令を受けたＣＰＵ２０９は、メモリカード３から読み出したデータをバス２１３を介してＭＰＥＧ４ビデオデコーダ２０４に供給し、ＬＣＤパネル２０２ａ，２０２ｂに映像を表示する。
【００２２】
次に、画面の表示切替について説明していく。
【００２３】
（１）  メニュー画面上で「設定」項目が選択されると、各種設定項目が表示される。この項目のなかの「画面設定」で縦画面を選択すると、縦状態のＬＣＤパネル２０２ａ，２０２ｂに対して適正向きで画像が表示されるように処理を実行するモードとなり（図３（ａ）（ｂ）参照）、横画面を選択すると、横状態のＬＣＤパネル２０２ａ，２０２ｂに対して適正向きで画像が表示されるように処理を実行するモードとなる（図１（ａ）（ｂ）参照）。
【００２４】
（２）  また、前記「設定」項目には、「継続表示設定」の項目があり、この項目について「ＹＥＳ」を選択すると、メインＬＣＤパネル２０２ａからサブＬＣＤパネル２０２ｂに切り替えて映像の継続表示を行うモード、及び、サブＬＣＤパネル２０２ｂからメインＬＣＤパネル２０２ａに切り替えて映像の継続表示を行うモードが選択されることになる。このモード選択の情報はＣＰＵ２０９によってＦｌａｓｈＲＯＭ２１８に格納される。
【００２５】
（３）  ＣＰＵ２０９は開閉検出スイッチからの信号によって蓋部２ｂの開閉を検出する。そして、蓋部２ｂの開閉を検出したときには、「継続表示設定」が「ＹＥＳ」になっているかどうかを判断する。「継続表示設定」が「ＹＥＳ」になっていれば、前記メインＬＣＤパネル２０２ａによる画像の表示状態で前記蓋部２ｂが閉じられたことを検出した場合、その表示方向と同一の表示方向で前記画像の表示を前記サブＬＣＤパネル２０２ｂにて継続する。また、前記サブＬＣＤパネル２０２ｂによる画像の表示状態で前記蓋部２ｂが開けられたことを検出した場合、その表示方向と同一の表示方向で前記画像の表示を前記メインＬＣＤパネル２０２ａにて継続する。
【００２６】
（４）  ＣＰＵ２０９は、図１に示す横画面表示の状態において、同図（ａ）のごとく前記蓋部２ｂが開かれているときには、スピーカＳＰ１に左音声を出力させ、スピーカＳＰ２に右音声を出力させるようにスイッチ２０３を制御する。一方、同図（ｂ）のごとく前記蓋部２ｂが閉じられているときには、スピーカＳＰ１に右音声を出力させ、スピーカＳＰ２に左音声を出力させるようにスイッチ２０３を制御する。
【００２７】
以上説明したように、この発明によれば、蓋部２ｂの開閉に基づいてメインＬＣＤパネル２０２ａとサブＬＣＤパネル２０２ｂとの間で映像表示を切り替える場合でも、表示方向は同一となるため、ユーザは切り替えの度に携帯端末の向きを変えなければいけなくなるといった不満や、音声の左右が逆転してしまうといった不満から解消されることになる。
【００２８】
なお、以上の実施形態では、スピーカを二つ設けた構成を示したが、これに限るものではなく、一つ（モノラル）、或いは三以上（３チャンネル以上）の構成としてもよいものである。また、前記蓋部２ｂが開けられている状態では、２チャンネル以上の音声出力を行い、蓋部２ｂが閉じられたときにはモノラルの音声出力を行うようにしてもよい。蓋部２ｂを閉じて映像視聴を行うときにはサブＬＣＤパネル２０２ｂが採用されので、メインＬＣＤパネル２０２ａを用いる映像表示に比べて省電力化が図れることになり、上記のごとく、蓋部２ｂが閉じられたときにモノラル音声出力を行う構成であれば、より一層の省電力化が図れることになる。また、スピーカは蓋部２ｂに限らず、本体２ｂに設けてもよいものである。
【図面の簡単な説明】
【００２９】
【図１】この発明の実施形態の携帯端末の外観を示した平面図であり、同図（ａ）は横画面表示で蓋部を開いたときの状態を示し、同図（ｂ）は横画面表示で蓋部を閉じたときの状態を示している。
【図２】この発明の実施形態の携帯端末の構成を示したブロック図である。
【図３】この発明の実施形態の携帯端末の外観を示した平面図であり、同図（ａ）は縦画面表示で蓋部を開いたときの状態を示し、同図（ｂ）は縦画面表示で蓋部を閉じたときの状態を示している。
【符号の説明】
【００３０】
２    携帯端末
２ａ  本体
２ｂ  蓋部
２０２ａ  メインＬＣＤパネル
２０２ｂ  サブＬＣＤパネル
２０５    グラフィックスコントローラ
２０７ａ  第１ＬＣＤコントローラ
２０７ｂ  第２ＬＣＤコントローラ
２０９    ＣＰＵ
【図１】
2005318058.tif 000003
【図２】
2005318058.tif 000004
【図３】
2005318058.tif 000005